(57)【要約】      （修正有）【課題】データを受信する無線端末における確認応答の送信処理を、基地局が適切に制御することができる基地局、無線端末、無線通信システム並びに無線通信制御方法及びプログラムを提供する。【解決手段】無線通信システム１０００は、送信データを送信する基地局１００と、基地局から送信データを受信し、当該送信データに対する確認応答を基地局へ送信する無線端末２００と、を備える。無線端末は、無線端末と基地局との間の通信状況について測定した通信品質情報を基地局へ送信する。基地局は、無線端末から受信した通信品質情報に基づき、無線端末における確認応答の送信処理を制御させるための制御情報を決定し、制御情報を無線端末へ送信する。無線端末は、制御情報を基地局から受信し、制御情報に基づき確認応答を基地局へ送信する。【選択図】図１
2020014120.tif 000002
【特許請求の範囲】
【請求項１】
送信データの送信先である無線端末と自己との間の通信状況について当該無線端末において測定された通信品質情報に基づき、当該無線端末における前記送信データに対する確認応答の送信処理を制御させるための制御情報を決定する決定部と、
前記制御情報を前記無線端末へ送信する送信部と、
を備える基地局。
【請求項２】
前記決定部は、前記無線端末における前記確認応答の送信タイミングを含めて前記制御情報として決定する
請求項１に記載の基地局。
【請求項３】
前記決定部は、
複数の前記送信データに対する前記確認応答をまとめて送信させるように前記制御情報を決定する
請求項１又は２に記載の基地局。
【請求項４】
前記決定部は、
複数のサブフレームを複数の前記送信データとして指定して前記制御情報を決定する
請求項３に記載の基地局。
【請求項５】
前記決定部は、
複数のサブフレームを含む複数のトランスポートブロックを複数の前記送信データとして指定して前記制御情報を決定する
請求項３に記載の基地局。
【請求項６】
前記決定部は、
前記無線端末が前記確認応答の送信時に用いるリソースをさらに決定し、
前記送信部は、
前記決定したリソースの指定を前記制御情報とは別の第２の制御情報として前記無線端末に対してさらに送信する
請求項１乃至５のいずれか１項に記載の基地局。
【請求項７】
送信データの送信元である基地局と自己との間の通信状況について測定した通信品質情報を前記基地局へ送信する送信部と、
前記基地局において前記通信品質情報に基づき決定され、前記送信データに対する確認応答の送信処理を制御するための制御情報を前記基地局から受信する受信部と、
を備え、
前記送信部は、前記制御情報に基づき前記確認応答を前記基地局へ送信する
無線端末。
【請求項８】
送信データを送信する基地局と、
前記基地局から前記送信データを受信し、当該送信データに対する確認応答を前記基地局へ送信する無線端末と、を備え、
前記無線端末は、
前記無線端末と前記基地局との間の通信状況について測定した通信品質情報を前記基地局へ送信し、
前記基地局は、
前記無線端末から受信した前記通信品質情報に基づき、前記無線端末における前記確認応答の送信処理を制御させるための制御情報を決定し、
前記制御情報を前記無線端末へ送信し、
前記無線端末は、
前記制御情報を前記基地局から受信し、
前記制御情報に基づき前記確認応答を前記基地局へ送信する
無線通信システム。
【請求項９】
基地局が、
送信データの送信先である無線端末と自己との間の通信状況について当該無線端末において測定された通信品質情報に基づき、前記無線端末における前記送信データに対する確認応答の送信処理を制御させるための制御情報を決定し、
前記制御情報を前記無線端末へ送信する
無線通信制御方法。
【請求項１０】
送信データの送信先である無線端末と自己との間の通信状況について当該無線端末において測定された通信品質情報に基づき、前記無線端末における前記送信データに対する確認応答の送信処理を制御させるための制御情報を決定する処理と、
前記制御情報を前記無線端末へ送信する処理と、
をコンピュータに実行させる無線通信制御プログラム。
【発明の詳細な説明】
【技術分野】
【０００１】
本発明は、基地局、無線端末、無線通信システム並びに無線通信制御方法及びプログラムに関し、特に、送信データに対する確認応答の送信又は受信を行うための基地局、無線端末、無線通信システム並びに無線通信制御方法及びプログラムに関する。
【背景技術】
【０００２】
特許文献１には、送信端末が受信端末へ送信したデータパケットに対して、受信端末が送信端末へ確認応答パケットを送信するデータ通信システムに関する技術が開示されている。特許文献１にかかる受信端末は、確認応答ロス率と、データパケットロス率と、冗長再送データパケットの発生量又は再生率の目標値とに基づいて、確認応答頻度を決定する。そして、受信端末は、決定された確認応答頻度に基づいて、確認応答パケットを受信端末から送信端末へ送信する。
【先行技術文献】
【特許文献】
【０００３】
【特許文献１】特開２００９−２７３０９４号公報
【発明の概要】
【発明が解決しようとする課題】
【０００４】
ここで、特許文献１にかかる技術は、受信端末側で確認応答頻度の算出処理を行うものであり、受信端末側における確認応答の送信処理（送信頻度、送信タイミング又は送信間隔等）を送信端末側で十分に制御することはできない。ところが、送信側が基地局である場合には、基地局から受信側である無線端末における確認応答の送信処理を主体的に制御できることが望ましい。
【０００５】
本開示は、このような問題点を解決するためになされたものであり、データを受信する無線端末における確認応答の送信処理を基地局が適切に制御するための基地局、無線端末、無線通信システム並びに無線通信制御方法及びプログラムを提供することを目的とする。
【課題を解決するための手段】
【０００６】
本開示の第１の態様にかかる基地局は、
送信データの送信先である無線端末と自己との間の通信状況について当該無線端末において測定された通信品質情報に基づき、当該無線端末における前記送信データに対する確認応答の送信処理を制御させるための制御情報を決定する決定部と、
前記制御情報を前記無線端末へ送信する送信部と、
を備える。
【０００７】
本開示の第２の態様にかかる無線端末は、
送信データの送信元である基地局と自己との間の通信状況について測定した通信品質情報を前記基地局へ送信する送信部と、
前記基地局において前記通信品質情報に基づき決定され、前記送信データに対する確認応答の送信処理を制御するための制御情報を前記基地局から受信する受信部と、
を備え、
前記送信部は、前記制御情報に基づき前記確認応答を前記基地局へ送信する。
【０００８】
本開示の第３の態様にかかる無線通信システムは、
送信データを送信する基地局と、
前記基地局から前記送信データを受信し、当該送信データに対する確認応答を前記基地局へ送信する無線端末と、を備え、
前記無線端末は、
前記無線端末と前記基地局との間の通信状況について測定した通信品質情報を前記基地局へ送信し、
前記基地局は、
前記無線端末から受信した前記通信品質情報に基づき、前記無線端末における前記確認応答の送信処理を制御させるための制御情報を決定し、
前記制御情報を前記無線端末へ送信し、
前記無線端末は、
前記制御情報を前記基地局から受信し、
前記制御情報に基づき前記確認応答を前記基地局へ送信する。
【０００９】
本開示の第４の態様にかかる無線通信制御方法は、
基地局が、
送信データの送信先である無線端末と自己との間の通信状況について当該無線端末において測定された通信品質情報に基づき、前記無線端末における前記送信データに対する確認応答の送信処理を制御させるための制御情報を決定し、
前記制御情報を前記無線端末へ送信する。
【００１０】
本開示の第５の態様にかかる無線通信制御方法は、
無線端末が、
送信データの送信元である基地局と自己との間の通信状況について測定した通信品質情報を前記基地局へ送信し、
前記基地局において前記通信品質情報に基づき決定され、前記送信データに対する確認応答の送信処理を制御するための制御情報を前記基地局から受信し、
前記制御情報に基づき前記確認応答を前記基地局へ送信する。
【００１１】
本開示の第６の態様にかかる無線通信制御方法は、
基地局から受信した送信データに対する確認応答を前記基地局へ送信する無線端末が、
前記無線端末と前記基地局との間の通信状況について測定した通信品質情報を前記基地局へ送信し、
前記基地局が、
前記無線端末から受信した前記通信品質情報に基づき、前記無線端末における前記確認応答の送信処理を制御させるための制御情報を決定し、
前記無線端末へ前記制御情報を送信し、
前記無線端末が、
前記制御情報を前記基地局から受信し、
前記制御情報に基づき前記確認応答を前記基地局へ送信する。
【００１２】
本開示の第７の態様にかかる無線通信制御プログラムは、
送信データの送信先である無線端末と自己との間の通信状況について当該無線端末において測定された通信品質情報に基づき、前記無線端末における前記送信データに対する確認応答の送信処理を制御させるための制御情報を決定する処理と、
前記制御情報を前記無線端末へ送信する処理と、
をコンピュータに実行させる。
【００１３】
本開示の第８の態様にかかる無線通信制御プログラムは、
送信データの送信元である基地局と自己との間の通信状況について測定した通信品質情報を前記基地局へ送信する処理と、
前記基地局において前記通信品質情報に基づき決定され、前記送信データに対する確認応答の送信処理を制御するための制御情報を前記基地局から受信する処理と、
前記制御情報に基づき前記確認応答を前記基地局へ送信する処理と、
をコンピュータに実行させる。
【発明の効果】
【００１４】
本開示により、データを受信する無線端末における確認応答の送信処理を基地局が適切に制御するための基地局、無線端末、無線通信システム並びに無線通信制御方法及びプログラムを提供することができる。
【図面の簡単な説明】
【００１５】
【図１】本実施の形態１にかかる基地局及び無線端末を備える無線通信システムの全体構成を示すブロック図である。
【図２】本実施の形態１にかかる基地局及び無線端末のそれぞれの無線通信制御処理の流れを示すフローチャートである。
【図３】本実施の形態２にかかる基地局及び無線端末を備える無線通信システムの全体構成を示すブロック図である。
【図４】本実施の形態２にかかる基地局のハードウェア構成を示すブロック図である。
【図５】本実施の形態２にかかる無線端末のハードウェア構成を示すブロック図である。
【図６】本実施の形態２にかかる確認応答要求に応じたＡＣＫ／ＮＡＣＫ応答の流れを説明するシーケンス図である。
【図７】本実施の形態２にかかる通信品質に応じたＡＣＫ／ＮＡＣＫ応答回数の概念を説明するための図である。
【図８】本実施の形態３にかかる複数の送信データをまとめたＡＣＫ／ＮＡＣＫ応答の流れを説明するシーケンス図である。
【図９】本実施の形態４にかかる確認応答率に応じたＡＣＫ／ＮＡＣＫ応答生成判定の流れを説明するシーケンス図である。
【図１０】本実施の形態５にかかる確認応答率とリソース指定とを別々に通知する場合のＡＣＫ／ＮＡＣＫ応答の流れを説明するシーケンス図である。
【図１１】本実施の形態６にかかる基地局の無線通信制御の関係を説明するための図である。
【発明を実施するための形態】
【００１６】
以下では、本開示の実施の形態について、図面を参照しながら詳細に説明する。各図面において、同一又は対応する要素には同一の符号が付されており、説明の明確化のため、必要に応じて重複説明は省略される。
【００１７】
＜実施の形態１＞
図１は、本実施の形態１にかかる基地局１００及び無線端末２００を備える無線通信システム１０００の全体構成を示すブロック図である。基地局１００は、無線端末２００に対して所定のデータを送信する。つまり、基地局１００は、送信データの送信元であり、無線端末２００は、基地局１００からの送信データの送信先である。また、無線端末２００は、基地局１００から送信されたデータを受信し、受信したデータに対する確認応答を基地局１００へ送信する。
【００１８】
基地局１００は、決定部１０１と、送信部１０２とを備える。決定部１０１は、無線端末２００と基地局１００との間の通信状況について無線端末２００において測定された通信品質情報に基づき、無線端末２００における（基地局１００からの）送信データに対する確認応答の送信処理を制御させるための制御情報を決定する。送信部１０２は、制御情報を無線端末２００へ送信する。
【００１９】
無線端末２００は、受信部２０１と、送信部２０２とを備える。受信部２０１は、基地局１００から送信された送信データを受信する。また、送信部２０２は、基地局１００と無線端末２００との間の通信状況について測定した通信品質情報を基地局１００へ送信する。そして、受信部２０１は、上述した制御情報を基地局１００から受信する。さらに、送信部２０２は、制御情報に基づき、送信データに対する確認応答を基地局１００へ送信する。
【００２０】
図２は、本実施の形態１にかかる基地局１００及び無線端末２００のそれぞれの無線通信制御処理の流れを示すフローチャートである。まず、無線端末２００は、基地局１００との間の通信状況について測定した通信品質情報を基地局１００へ送信する（Ｓ２０１）。
【００２１】
次に、基地局１００は、無線端末２００から通信品質情報を受信し、受信した通信品質情報に基づき、制御情報を決定する（Ｓ１０１）。そして、基地局１００は、制御情報を無線端末２００へ送信する（Ｓ１０２）。
【００２２】
その後、無線端末２００は、基地局１００から制御情報を受信する（Ｓ２０２）。また、無線端末２００は、この時点において少なくとも基地局１００からの送信データを受信しているものとする。そして、無線端末２００は、受信した制御情報に基づき、受信した送信データに対する確認応答を基地局１００へ送信する（Ｓ２０３）。
【００２３】
尚、基地局１００及び無線端末２００のそれぞれは、図示しない構成として無線通信回路、プロセッサ、メモリ及び記憶装置等を備えるものである。また、当該記憶装置には、本実施の形態にかかる無線通信制御処理が実装されたコンピュータプログラムが記憶されている。そして、当該プロセッサは、記憶装置からコンピュータプログラムをメモリへ読み込み、当該コンピュータプログラムを実行する。これにより、基地局１００のプロセッサは、上述した決定部１０１及び送信部１０２の機能を実現する。また、無線端末２００のプロセッサは、上述した受信部２０１及び送信部２０２の機能を実現する。
【００２４】
このように、本実施の形態では、基地局１００は、送信データを受信する無線端末２００における確認応答の送信処理を適切に制御することができる。例えば、決定部１０１は、通信品質が良好であると判定した場合、無線端末２００ａにおける確認応答の送信回数を減らすように制御情報を決定し、送信部１０２が決定した制御情報を無線端末２００へ送信する。これにより、無線端末２００は基地局１００から受信した制御情報に応じて確認応答の送信回数を減らす。そのため、基地局１００が無線端末２００における確認応答率を相対的に低く制御することができる。また、決定部１０１は、通信品質が悪いと判定した場合、無線端末２００ａにおける確認応答の送信回数を増やす（本来の回数に戻す）ように制御情報を決定し、送信部１０２が決定した制御情報を無線端末２００へ送信する。これにより、無線端末２００は基地局１００から受信した制御情報に応じて確認応答の送信回数を元に戻す。この場合、基地局１００が無線端末２００における確認応答率を維持するように制御できる。つまり、無線端末２００側で測定された通信品質情報を加味して無線端末における確認応答の送信処理における送信頻度、送信タイミング又は送信間隔等を基地局１００が総合的に制御できる。
【００２５】
＜実施の形態２＞
本実施の形態２は、上述した実施の形態１の具体的な一実施例である。図３は、本実施の形態２にかかる基地局１００ａ及び無線端末２００ａを備える無線通信システム２０００の全体構成を示すブロック図である。基地局１００ａは、ＬＴＥ（Long Term Evolution）等の無線通信規格により無線端末２００ａと無線通信を行い、また、外部ネットワークとも接続されている。基地局１００ａは、受信部１１０と、通信品質評価部１２０と、送信部１３０とを備える。
【００２６】
受信部１１０は、無線端末２００ａと基地局１００ａとの間の通信状況について無線端末２００ａにおいて測定された通信品質情報を、無線端末２００ａから受信する。ここで、通信品質情報は、例えば、伝送速度、信号対雑音干渉比（ＳＩＮＲ（Signal-to-Interference Noise Ratio））、又は、伝送誤り等である。または、通信品質情報は、伝送速度制御に関連する要素（変調方式、符号化率等）や、ＳＩＮＲに関連する要素（信号Ｓ、雑音Ｎ、干渉Ｉ等）であってもよい。また、受信部１１０は、基地局１００ａによる送信データに対する無線端末２００ａからの確認応答（ＡＣＫ（ACKnowledgement）／ＮＡＣＫ（Negative ACKnowledgement））を受信する。
【００２７】
通信品質評価部１２０は、上述した決定部１０１の一例であり、受信部１１０により受信された通信品質情報に基づき、上述した制御情報を決定する。ここで、制御情報は、無線端末２００ａにおける確認応答の送信タイミングを示すものということができる。送信タイミングとしては、例えば、確認応答要求、確認応答頻度、確認応答率等が挙げられる。例えば、制御情報として確認応答要求を用いた場合、無線端末２００ａは、基地局１００ａから確認応答要求を受信したことに応じて、その時点で基地局１００ａから受信済みのデータに対する確認応答を送信するものとする。つまり、無線端末２００ａが確認応答要求を受信したことが、無線端末２００ａによる確認応答の送信タイミングといえる。
【００２８】
このように、無線端末２００ａは、基地局１００ａから確認応答要求を受信した場合に、確認応答を送信すれば良いため、無線端末２００ａにおける確認応答を送信の要否判定を簡易にできる。そして、基地局１００ａは、自身の判断で確認応答要求の送信を制御できるため、通信品質情報に応じて、無線端末２００ａにおける確認応答を送信量を制御することができる。
【００２９】
また、通信品質評価部１２０は、通信品質情報に基づき、確認応答要求を制御情報として生成するということができる。そして、通信品質評価部１２０は、決定した制御情報、つまり、生成した確認応答要求を送信部１３０へ通知する。
【００３０】
ここで、通信品質評価部１２０は、通信品質情報が所定の閾値より良好である場合には、通信品質情報が所定の閾値より悪い場合と比べて、無線端末２００ａにおいて確認応答を送信させる頻度が少なくなるように制御情報を決定する。具体的には、通信品質評価部１２０は、通信品質情報が所定の閾値より良好である場合には、確認応答要求を生成する回数を減らす。
【００３１】
また、通信品質評価部１２０は、無線端末２００ａにおける確認応答の送信タイミング、送信頻度、応答率、又は送信間隔等を制御するために、予防型制御又は対処型制御を行うことができる。
【００３２】
ここで、予防型制御は、伝送速度やＳＩＮＲ等の通信品質情報から伝送誤りの発生を見積り、伝送誤りが発生する前に、無線端末２００ａにおける確認応答率を上げるように制御するものである。例えば、通信品質評価部１２０は、通信品質情報から伝送誤りが発生する見込みを検出した場合、確認応答要求を生成する頻度を増やす。一方、通信品質評価部１２０は、通信品質情報から伝送誤りが発生する見込みが低くなった場合には、確認応答要求を生成する頻度を減らす。
【００３３】
また、対処型制御は、無線端末２００ａにおいて伝送誤りが発生した旨の通知を通信品質情報として受信した場合に、無線端末２００ａにおける確認応答率を上げるように制御するものである。例えば、通信品質評価部１２０は、通信品質情報が無線端末２００ａにおける伝送誤りの発生を示す場合、確認応答要求を生成する頻度を増やす。一方、通信品質評価部１２０は、通信品質情報が伝送誤りの発生を示さない場合には、確認応答要求を生成する頻度を減らす。このようにして、基地局１００ａは、無線端末２００ａにおける確認応答の送信タイミングや確認応答率を制御することができる。
【００３４】
送信部１３０は、外部から宛先を無線端末２００ａとしてデータの入力を受け付けた場合、当該受け付けたデータを無線端末２００ａへ送信する。また、送信部１３０は、通信品質評価部１２０から通知された確認応答要求を無線端末２００ａへ送信する。
【００３５】
尚、通信品質評価部１２０は、送信データごとに制御情報を決定する。但し、通信品質評価部１２０は、複数の送信データに対する確認応答をまとめて送信させるように制御情報を決定してもよい。また、通信品質評価部１２０は、無線端末２００ａが確認応答の送信時に用いるリソースをさらに決定してもよい。その場合、送信部１３０は、通信品質評価部１２０により決定されたリソースの指定を制御情報に含めて無線端末２００ａに対して送信する。
【００３６】
図４は、本実施の形態２にかかる基地局１００ａのハードウェア構成を示すブロック図である。基地局１００ａは、アンテナ１４０と、送受信回路１５０と、メモリ１６０と、ＣＰＵ（Central Processing Unit）１７０とを備える。アンテナ１４０は、少なくとも無線端末２００ａとの無線通信における無線信号の送受信を行うための無線アンテナである。尚、アンテナ１４０は、複数のアンテナにより構成されていても良い。送受信回路１５０は、ＣＰＵ１７０からの指示に応じて送信データや確認応答要求を無線信号に変換し、アンテナ１４０を用いて無線端末２００ａへ無線信号を送信させる。また、送受信回路１５０は、アンテナ１４０により受信された無線信号をデータ（通信品質情報や確認応答等）に変換し、ＣＰＵ１７０へ通知する。尚、アンテナ１４０及び送受信回路１５０は、外部ネットワークとの通信に用いても良い。
【００３７】
メモリ１６０は、ＲＡＭ（Random Access Memory）等の揮発性記憶装置である。メモリ１６０は、プログラム１６１と、通信品質情報１６２と、制御情報１６３とを記憶する。尚、プログラム１６１は、記憶装置（不図示）に保存されたものであり、ＣＰＵ１７０によりメモリ１６０へロードされたものであってもよい。尚、当該記憶装置は、例えば、ハードディスク、フラッシュメモリ等の不揮発性記憶装置又はＲＯＭ（Read Only Memory）等が挙げられるがこれらに限定されない。
【００３８】
プログラム１６１は、本実施の形態２にかかる基地局１００ａの無線通信制御処理が実装されたコンピュータプログラムの一例である。通信品質情報１６２は、受信部１１０により無線端末２００ａから受信され、メモリ１６０に格納された、基地局１００ａと無線端末２００ａとの間の通信状況について、無線端末２００ａにおいて測定された情報である。通信品質情報１６２は、上述した伝送速度、ＳＩＮＲ、伝送誤り等である。また、制御情報１６３は、上述した確認応答要求、確認応答頻度、確認応答率等である。
【００３９】
ＣＰＵ１７０は、基地局１００ａの動作を制御するプロセッサ等の制御回路の一例であり、ＭＰＵ（Micro Processor Unit）であっても良い。ＣＰＵ１７０は、上述した記憶装置からプログラム１６１をメモリ１６０へロードして、実行する。これにより、ＣＰＵ１７０は、受信部１１０、通信品質評価部１２０、送信部１３０の機能を実現する。尚、受信部１１０及び送信部１３０は、ＣＰＵ１７０、送受信回路１５０及びアンテナ１４０を含めて実現されるものということもできる。
【００４０】
図３に戻り、説明を続ける。無線端末２００ａは、少なくとも基地局１００ａと共通の無線通信規格により基地局１００ａと無線通信を行う、通信装置である。無線端末２００ａは、受信部２１０と、生成部２２０と、送信部２３０とを備える。
【００４１】
受信部２１０は、基地局１００ａから無線端末２００ａ宛に送信されたデータを受信する。また、受信部２１０は、受信したデータについて正誤判定を行う。また、受信部２１０は、データの受信に応じて通信品質を測定する。ここで、受信部２１０は、通信品質として、上述した伝送速度、ＳＩＮＲ、又は、伝送誤り等を測定するものとする。また、受信部２１０は、基地局１００ａから無線端末２００ａ宛に送信された制御情報、例えば、確認応答要求を受信する。また、受信部２１０は、正誤判定の結果、測定した通信品質、受信した確認応答要求を生成部２２０へ通知する。尚、受信部２１０は、測定した通信品質を直接、送信部２３０へ通知しても良い。
【００４２】
生成部２２０は、確認応答を生成すべきか否かの判定を行う。ここで、生成部２２０は、受信部２１０から確認応答要求が通知された場合に、確認応答を生成すべきと判定する。そして、確認応答を生成すべきと判定した場合、生成部２２０は、正誤判定の結果に基づいて確認応答を生成し、送信部２３０へ通知する。尚、生成部２２０は、受信部２１０から通知された通信品質を送信部２３０へ通知してもよい。
【００４３】
送信部２３０は、受信部２１０又は生成部２２０から通知された通信品質を基地局１００ａへ送信する。また、送信部２３０は、生成部２２０から通知された確認応答を基地局１００ａへ送信する。
【００４４】
図５は、本実施の形態２にかかる無線端末２００ａのハードウェア構成を示すブロック図である。無線端末２００ａは、アンテナ２４０と、送受信回路２５０と、メモリ２６０と、ＣＰＵ２７０とを備える。アンテナ２４０は、少なくとも基地局１００ａとの無線通信における無線信号の送受信を行うための無線アンテナである。尚、アンテナ２４０は、複数のアンテナにより構成されていても良い。送受信回路２５０は、アンテナ２４０により受信された無線信号をデータ（受信データや確認応答要求等）に変換し、ＣＰＵ２７０へ通知する。また、送受信回路２５０は、ＣＰＵ２７０からの指示に応じて通信品質情報や確認応答を無線信号に変換し、アンテナ２４０を用いて基地局１００ａへ無線信号を送信させる。
【００４５】
メモリ２６０は、ＲＡＭ等の揮発性記憶装置である。メモリ２６０は、プログラム２６１と、通信品質情報２６２と、確認応答２６３とを記憶する。尚、プログラム２６１は、記憶装置（不図示）に保存されたものであり、ＣＰＵ２７０によりメモリ２６０へロードされたものであってもよい。尚、当該記憶装置は、例えば、ハードディスク、フラッシュメモリ等の不揮発性記憶装置又はＲＯＭ等が挙げられるがこれらに限定されない。
【００４６】
プログラム２６１は、本実施の形態２にかかる無線端末２００ａの無線通信制御処理が実装されたコンピュータプログラムの一例である。通信品質情報２６２は、基地局１００ａと無線端末２００ａとの間の通信状況について、受信部２１０により測定された上述した伝送速度、ＳＩＮＲ、又は、伝送誤り等である。また、確認応答２６３は、生成部２２０により生成されたＡＣＫ又はＮＡＣＫパケット等である。
【００４７】
ＣＰＵ２７０は、無線端末２００ａの動作を制御するプロセッサ等の制御回路の一例であり、ＭＰＵであっても良い。ＣＰＵ２７０は、上述した記憶装置からプログラム２６１をメモリ２６０へロードして、実行する。これにより、ＣＰＵ２７０は、受信部２１０、生成部２２０、送信部２３０の機能を実現する。尚、受信部２１０及び送信部２３０は、ＣＰＵ２７０、送受信回路２５０及びアンテナ２４０を含めて実現されるものということもできる。
【００４８】
図６は、本実施の形態２にかかる確認応答要求に応じたＡＣＫ／ＮＡＣＫ応答の流れを説明するシーケンス図である。まず、基地局１００ａと無線端末２００ａの間の通信品質の測定が無線端末２００ａで行われる場合について説明する。基地局１００ａの送信部１３０は、無線端末２００ａへデータを送信する（Ｓ３０１）。そして、無線端末２００ａの受信部２１０は、基地局１００ａから送信されたデータを受信し、当該データの受信時における通信品質を測定する（Ｓ３１１）。以降、同様に、送信部１３０は、複数のデータを連続して無線端末２００ａへ送信し（・・・Ｓ３０ｎ）、受信部２１０は、基地局１００ａから複数のデータをそれぞれ受信し、通信品質を測定する（・・・Ｓ３１ｎ）。そして、無線端末２００ａの送信部２３０は、測定された各通信品質をまとめて通信品質情報として基地局１００ａへ送信する（Ｓ３２０）。
【００４９】
その後、基地局１００ａの受信部１１０は、無線端末２００ａから通信品質情報を受信し、通信品質評価部１２０は、通信品質情報の評価を行い（Ｓ３３１）、必要に応じて確認応答要求を生成する。ここでは、確認応答要求が生成されたものとする。
【００５０】
続いて、基地局１００ａの送信部１３０は、無線端末２００ａ宛の送信対象データの入力を受け付ける（Ｓ３４０）。そして、送信部１３０は、受け付けたデータを無線端末２００ａへ送信する（Ｓ３４１ａ）。このとき、送信部１３０は、受け付けたデータのうち一部をフレームとして送信するものとする。これに応じて、無線端末２００ａの受信部２１０は、基地局１００ａから送信されたデータを受信し、通信品質を測定し、受信データの正誤判定を行う（Ｓ３４２ａ）。
【００５１】
ここで、送信部１３０は、ステップＳ３４１ａの後、通信品質評価部１２０により生成された確認応答要求を無線端末２００ａへ送信する（Ｓ３４３ａ）。これに応じて、受信部２１０は、基地局１００ａから確認応答要求を受信する。そして、生成部２２０は、確認応答要求の受信に応じて確認応答を生成すべきと判定し、受信したデータに対する正誤判定結果に基づき確認応答を生成する（Ｓ３４４ａ）。その後、送信部２３０は、ステップＳ３４１ａで送信されたデータに対する確認応答（ＡＣＫ／ＮＡＣＫ応答）を基地局１００ａへ送信する（Ｓ３４５ａ）。また、この前後で送信部２３０は、基地局１００ａへ通信品質情報を送信する（Ｓ３４６ａ）。
【００５２】
その後、基地局１００ａの受信部１１０は、無線端末２００ａから通信品質情報を受信し、通信品質評価部１２０は、通信品質情報の評価を行う（Ｓ３３２）。ここでは、ステップＳ３３１と比べて通信品質情報が良好であったものとし、通信品質評価部１２０は、確認応答要求を生成しないものとする。
【００５３】
続いて、送信部１３０は、受け付けたデータのうち未送信の部分をフレームとして無線端末２００ａへ送信する（Ｓ３４１ｂ）。これに応じて、無線端末２００ａの受信部２１０は、基地局１００ａから送信されたデータを受信し、通信品質を測定し、受信データの正誤判定を行う（Ｓ３４２ｂ）。尚、送信部１３０は、ステップＳ３４１ｂの後、確認応答要求を無線端末２００ａへ送信しない。そのため、受信部２１０は、基地局１００ａから確認応答要求を受信せず、生成部２２０は、確認応答を生成しない。よって、送信部２３０は、ステップＳ３４１ｂで送信されたデータに対する確認応答（ＡＣＫ／ＮＡＣＫ応答）を送信しない。尚、送信部２３０は、基地局１００ａへ通信品質情報を送信する（Ｓ３４６ｂ）。
【００５４】
図７は、本実施の形態２にかかる通信品質に応じたＡＣＫ／ＮＡＣＫ応答回数の概念を説明するための図である。図７の（Ｘ）のケースは、通信品質が相対的に悪い場合を示す。そのため、データ伝送単位毎にＡＣＫ／ＮＡＣＫ応答を返す場合となる。すなわち、基地局Ａから無線端末Ｂへのデータ伝送ごとに、無線端末Ｂから基地局ＡへのＡＣＫ／ＮＡＣＫ応答が送信されることを示す。これに対し、図７の（Ｙ１）のケースは通信品質が相対的に中程度であり、（Ｙ２）のケースは通信品質が相対的に良好である場合を示す。そのため、（Ｙ１）及び（Ｙ２）の場合、（Ｘ）と比べて、通信品質に応じてＡＣＫ／ＮＡＣＫ応答率を下げた場合となる。すなわち、（Ｙ１）の場合、１回目のデータ伝送に対してはＡＣＫ／ＮＡＣＫ応答を返されておらず、（Ｘ）と比べてＡＣＫ／ＮＡＣＫ応答回数を削減できたことを示す。さらに、（Ｙ２）の場合、複数回のデータ伝送に対してＡＣＫ／ＮＡＣＫ応答を返されておらず、最後の１回のデータ伝送の後にＡＣＫ／ＮＡＣＫ応答が返されたことを示す。よって、（Ｘ）と比べてＡＣＫ／ＮＡＣＫ応答回数をさらに削減できたことを示す。そのため、無線通信を用いる装置間において、無線通信品質（レイヤ１通信品質）に応じて確認応答（ＡＣＫ／ＮＡＣＫ）応答率を動的に制御することで、確認応答の伝送回数または伝送容量を削減することができる。
【００５５】
＜実施の形態３＞
本実施の形態３は、上述した実施の形態２の改良例である。本実施の形態３は、確認応答単位を複数の送信データにまとめるものである。すなわち、前記決定部は、複数の前記送信データに対する前記確認応答をまとめて送信させるように前記制御情報を決定するものである。これにより、確認応答の送信回数をさらに削減できる。
【００５６】
また、前記決定部は、複数の前記送信データのそれぞれに対する各受信確認結果を区別して１つの確認応答パケットに含めて応答させるように前記制御情報を決定するようにするとよい。これにより、ＮＡＣＫ発生時の再送対象のデータを適切に絞り込むことができ、過剰なデータの再送を防ぐことができる。
【００５７】
または、前記決定部は、複数の前記送信データに対する各受信確認結果から総合的に判定された一つの受信確認結果を応答させるように前記制御情報を決定するしてもよい。これにより、確認応答パケットのサイズを縮小でき、伝送遅延を回避できる。
【００５８】
尚、前記決定部は、複数のサブフレームを複数の前記送信データとして指定して前記制御情報を決定してもよい。または、前記決定部は、複数のサブフレームを含む複数のトランスポートブロックを複数の前記送信データとして指定して前記制御情報を決定するようにしてもよい。これらにより、確認応答の対象を適切に把握でき、確認応答の送信回数を削減できる。
【００５９】
尚、本実施の形態３にかかる無線通信システム、基地局及び無線端末の各構成は、上述した実施の形態２と同等であるため、図示及び詳細な説明を省略する。
【００６０】
図８は、本実施の形態３にかかる複数の送信データをまとめたＡＣＫ／ＮＡＣＫ応答の流れを説明するシーケンス図である。尚、ステップＳ３０１からＳ３２０までは、図６と同様のため説明を省略する。
【００６１】
ステップＳ３３０において、基地局１００ａの受信部１１０は、無線端末２００ａから通信品質情報を受信し、通信品質評価部１２０は、通信品質情報の評価を行い、ここでは、確認応答要求が生成されたものとする。例えば、通信品質情報が良好であったため、通信品質評価部１２０は、ｎ回の送信データに対する確認応答をまとめて送信させるように確認応答要求を生成したものとする。
【００６２】
そして、送信部１３０は、１回からｎ−１回までのデータ送信（Ｓ３４１１からＳ３４１ｎ−１）の直後には、確認応答要求を送信しない。そのため、無線端末２００ａの受信部２１０は、ｎ−１件のデータを受信し、通信品質を測定し、受信データの正誤判定を行う（Ｓ３４２１からＳ３４２ｎ−１）が、生成部２２０は、確認応答を生成しない。
【００６３】
そして、送信部１３０は、ｎ回目のデータ送信（Ｓ３４１ｎ）の直後に、１からｎ回目の送信データに対する確認応答を要求するための確認応答要求を無線端末２００ａへ送信する（Ｓ３４３ｘ）。これに応じて、無線端末２００ａの受信部２１０は、基地局１００ａから送信されたｎ回目のデータを受信し、通信品質を測定し、受信データの正誤判定を行う（Ｓ３４２ｎ）。また、受信部２１０は、基地局１００ａから確認応答要求を受信する。そして、生成部２２０は、確認応答要求の受信に応じて、１からｎ回目の受信データに対する確認応答を生成すべきと判定し、受信したｎ件のデータに対する正誤判定結果に基づき１つの確認応答を生成する（Ｓ３４４ｘ）。その後、送信部２３０は、ステップＳ３４１１からＳ３４１ｎで送信されたｎ件のデータに対する確認応答（ＡＣＫ／ＮＡＣＫ応答）を基地局１００ａへ送信する（Ｓ３４５ｘ）。また、この前後で送信部２３０は、基地局１００ａへ通信品質情報を送信してもよい。
【００６４】
ここで、確認応答要求には、確認応答単位となる複数の送信データが指定されている。この場合、以下の（１）から（４）の指定の仕方が挙げられる。また、以下の（１）又は（２）のいずれかと、（３）又は（４）のいずれかを組み合わせることもできる。
【００６５】
（１）保留型応答：通信品質評価部１２０は、複数の送信データのそれぞれに対する各受信確認結果を区別して１つの確認応答パケットに含めて応答させる指示を確認応答要求に含めることができる。この場合、ステップＳ３４４ｘにおいて生成部２２０は、ステップＳ３４２１からＳ３４２ｎのそれぞれのデータ正誤判定結果を区別して、つまり、ｎ件の正誤判定結果のそれぞれに対応するＡＣＫ又はＮＡＣＫの結果を１つの確認応答パケットに含めて生成する。
【００６６】
（２）集約型応答：通信品質評価部１２０は、複数の送信データのそれぞれに対する各受信確認結果から総合的に判定された一つの受信確認結果を応答させる指示を確認応答要求に含めることができる。この場合、ステップＳ３４４ｘにおいて生成部２２０は、ステップＳ３４２１からＳ３４２ｎのそれぞれのデータ正誤判定結果のうち、データ誤りが所定値以上あった場合に、全体の受信確認結果として誤りと判定し、ＮＡＣＫを示す確認応答パケットを生成する。
【００６７】
（３）サブフレーム数指定：通信品質評価部１２０は、確認応答をまとめる際のサブフレームの数を確認応答要求に含めることができる。この場合、送信部１３０は、１回のデータ送信時に複数のサブフレームを含むフレームデータとして送信を行う。そして、この場合、ステップＳ３４４ｘにおいて生成部２２０は、受信済みかつ確認応答が未送信であるデータのうち、確認応答要求に含まれるサブフレーム数以内のものについて、確認応答をまとめて生成する。
【００６８】
（４）トランスポートブロック数指定：通信品質評価部１２０は、確認応答をまとめる際のトランスポートブロックの数を確認応答要求に含めることができる。ここで、１つのトランスポートブロックには、複数のサブフレームが含まれているものとする。この場合、送信部１３０は、１回のデータ送信時に１以上のトランスポートブロックを含むフレームデータとして送信を行う。そして、この場合、ステップＳ３４４ｘにおいて生成部２２０は、受信済みかつ確認応答が未送信であるデータのうち、確認応答要求に含まれるトランスポートブロック数以内のものについて、確認応答をまとめて生成する。
【００６９】
＜実施の形態４＞
本実施の形態４は、上述した実施の形態２又は３の変形例である。本実施の形態４にかかる決定部は、前記無線端末において前記確認応答を送信する頻度を示す確認応答頻度を前記送信タイミングとして決定する。確認応答頻度とは、例えば、確認応答率等である。これにより、基地局１００ａから無線端末２００ａへ送信データごとに毎回、確認応答要求を送信する必要がなく、データ送信量をさらに削減できる。
【００７０】
尚、本実施の形態４にかかる無線通信システム、基地局及び無線端末の各構成は、上述した実施の形態２と同等であるため、図示及び詳細な説明を省略する。図９は、本実施の形態４にかかる確認応答率に応じたＡＣＫ／ＮＡＣＫ応答生成判定の流れを説明するシーケンス図である。尚、ステップＳ３０１からＳ３２０までは、図６と同様のため説明を省略する。
【００７１】
ステップＳ３３０ａにおいて、基地局１００ａの受信部１１０は、無線端末２００ａから通信品質情報を受信し、通信品質評価部１２０は、通信品質情報の評価を行い、ここでは、確認応答率が生成されたものとする。例えば、通信品質情報が良好であったため、通信品質評価部１２０は、確認応答率を通常より低く算出したものとする。
【００７２】
そして、送信部１３０は、通信品質評価部１２０により生成された確認応答率を無線端末２００ａへ送信する（Ｓ３４３ｙ）。これに応じて、無線端末２００ａの受信部２１０は、基地局１００ａから確認応答率を受信する。そして、受信部２１０は、メモリ２６０に受信した確認応答率を保存する。
【００７３】
続いて、基地局１００ａの送信部１３０は、無線端末２００ａ宛の送信対象データの入力を受け付ける（Ｓ３４０）。そして、送信部１３０は、受け付けたデータを無線端末２００ａへ送信する（Ｓ３４１ａ）。このとき、送信部１３０は、受け付けたデータのうち一部をフレームとして送信するものとする。これに応じて、無線端末２００ａの受信部２１０は、基地局１００ａから送信されたデータを受信し、通信品質を測定し、受信データの正誤判定を行う（Ｓ３４２ａ）。
【００７４】
続いて、生成部２２０は、確率応答率に基づく確認応答の生成判定を行う（Ｓ３４７ａ）。すなわち、生成部２２０は、メモリ２６０に保存された確率応答率（基地局１００ａからの制御情報（期待値））と、実際の確率応答の送信実績（確率応答率の実績値）とに基づいて、確認応答を生成すべきか否かの判定を行う。例えば、確率応答率の実績値が期待値を上回った場合、生成部２２０は、確認応答を生成不要と判定する。尚、ステップＳ３４７ａでは、確認応答を生成不要と判定したものとする。
【００７５】
また、送信部１３０は、受け付けたデータのうち未送信の部分をフレームとして無線端末２００ａへ送信する（Ｓ３４１ｂ）。これに応じて、無線端末２００ａの受信部２１０は、基地局１００ａから送信されたデータを受信し、通信品質を測定し、受信データの正誤判定を行う（Ｓ３４２ｂ）。そして、生成部２２０は、確率応答率に基づく確認応答の生成判定を行う（Ｓ３４７ｂ）。ここでは、例えば、確率応答率の実績値が期待値を下回った場合、生成部２２０は、確認応答を生成すべきと判定する。そして、ステップＳ３４７ｂでは、確認応答を生成すべきと判定したものとする。
【００７６】
そのため、生成部２２０は、ステップＳ３４２ｂの正誤判定結果に基づき確認応答を生成する（Ｓ３４４ｂ）。その後、送信部２３０は、ステップＳ３４１ｂで送信されたデータに対する確認応答（ＡＣＫ／ＮＡＣＫ応答）を基地局１００ａへ送信する（Ｓ３４５ｂ）。尚、送信部２３０は、基地局１００ａへ通信品質情報を送信してもよい。
【００７７】
このように、本実施の形態４では、基地局１００ａから無線端末２００ａへ予め確認応答率を通知しておくものである。このとき、確認応答率は、無線端末２００ａ側で測定された通信品質情報に基づいて、基地局１００ａ側で算出されたものであり、制御情報の一例である。そして、無線端末２００ａは、受信した確認応答率に従って、データの受信に応じて確認応答の要否を簡易に判定できる。そのため、基地局１００ａが無線端末２００ａにおける確認応答率を適切に制御できる。
【００７８】
＜実施の形態５＞
本実施の形態５は、上述した実施の形態４の改良例である。すなわち、本実施の形態５にかかる前記決定部は、前記無線端末が前記確認応答の送信時に用いるリソースをさらに決定する。そして、前記送信部は、前記決定したリソースの指定を前記制御情報とは別の第２の制御情報として前記無線端末に対してさらに送信するものである。つまり、確認応答時に使用するリソース指定を制御情報に含めないものである。これにより、個別の通信毎に柔軟なリソース指定が可能となる。
【００７９】
さらに、前記送信部は、前記制御情報をＲＲＣ（Ｒａｄｉｏ  Ｒｅｓｏｕｒｃｅ  Ｃｏｎｔｒｏｌ）メッセージに含めて前記無線端末に対して送信する。そして、前記送信部は、前記第２の制御情報をＤＣＩ（Ｄｏｗｎｌｉｎｋ  Ｃｏｎｔｒｏｌ  Ｉｎｆｏｒｍａｔｉｏｎ）に含めて前記無線端末に対して送信するとよい。これにより、ＬＴＥ等の無線通信規格に沿った形で本実施の形態の適用が可能となる。
【００８０】
尚、本実施の形態５にかかる無線通信システム、基地局及び無線端末の各構成は、上述した実施の形態２と同等であるため、図示及び詳細な説明を省略する。図１０は、本実施の形態５にかかる確認応答率とリソース指定とを別々に通知する場合のＡＣＫ／ＮＡＣＫ応答の流れを説明するシーケンス図である。尚、基地局１００ａは無線端末２００ａとの以前の通信により、無線端末２００ａで測定された通信品質情報を受信済みとする。その場合、図６のステップＳ３０１からＳ３２０までの処理と同様であってもよい。
【００８１】
ステップＳ３３０ａにおいて、図９と同様に、通信品質評価部１２０は、確認応答率を生成したものとする。そして、送信部１３０は、無線端末２００ａとＲＲＣ接続を確立するために、ＲＲＣ接続メッセージを無線端末２００ａへ送信する（Ｓ３５１）。このとき、送信部１３０は、ステップＳ３３０ａで生成された確認応答率をＲＲＣ接続メッセージに含めるものとする。これに応じて、無線端末２００ａの受信部２１０は、基地局１００ａからＲＲＣ接続メッセージを受信する。そして、受信部２１０は、受信したＲＲＣ接続メッセージ内から確認応答率を抽出し、抽出した確認応答率をメモリ２６０に保存する（Ｓ３５２）。そして、基地局１００ａと無線端末２００ａの間で、ＲＲＣ接続が確立したものとする（Ｓ３５３）。尚、ＲＲＣ接続を確立するための各種処理は、公知のものを用いることができる。
【００８２】
続いて、基地局１００ａの通信品質評価部１２０は、無線端末２００ａが確認応答の送信時に用いるリソースを決定する。そして、送信部１３０は、決定したリソースをＤＣＩに指定してＰＤＣＣＨ（Physical Downlink Control Channel）メッセージを無線端末２００ａへ送信する（Ｓ３５４）。これに応じて、無線端末２００ａの受信部２１０は、基地局１００ａからＰＤＣＣＨメッセージを受信する。そして、受信部２１０は、受信したＰＤＣＣＨメッセージ内のＤＣＩからリソースの指定情報を抽出し、抽出したリソースの指定情報をメモリ２６０に保存する（Ｓ３５５）。
【００８３】
その後、送信部１３０は、送信対象のデータを所定数のフレームに分割し、最初のフレームをＰＤＳＣＨ（Physical Downlink Shared Channel）メッセージに含めて、無線端末２００ａへ送信する（Ｓ３６１ａ）。これに応じて、受信部２１０は、基地局１００ａからＰＤＳＣＨメッセージを受信する。そして、受信部２１０は、受信したＰＤＳＣＨメッセージからデータを抽出し、通信品質を測定し、受信データの正誤判定を行う（Ｓ３６２ａ）。続いて、生成部２２０は、上述したステップＳ３４７ａと同様に、確率応答率に基づく確認応答の生成判定を行う（Ｓ３６３ａ）。尚、ここでは、確認応答を生成不要と判定したものとする。
【００８４】
また、送信部１３０は、送信対象のデータのうち未送信のフレームをＰＤＳＣＨメッセージに含めて、無線端末２００ａへ送信する（Ｓ３６１ｂ）。これに応じて、受信部２１０は、基地局１００ａから送信されたＰＤＳＣＨメッセージを受信し、ステップＳ３６２ａと同様に、通信品質を測定し、受信データの正誤判定を行う（Ｓ３６２ｂ）。そして、生成部２２０は、ステップＳ３６３ａと同様に、確率応答率に基づく確認応答の生成判定を行う（Ｓ３６３ｂ）。ここでは、確認応答を生成すべきと判定したものとする。
【００８５】
そのため、生成部２２０は、ステップＳ３６３ｂの正誤判定結果に基づき、指定されたリソースを用いて確認応答を生成する（Ｓ３６４）。すなわち、生成部２２０は、メモリ２６０に保存されたリソースの指定情報で指定されたリソースを用いて確認応答パケットを生成する。その後、送信部２３０は、ステップＳ３６１ｂで送信されたデータに対する確認応答（ＡＣＫ／ＮＡＣＫ応答）を基地局１００ａへ送信する（Ｓ３６５）。尚、送信部２３０は、基地局１００ａへ通信品質情報を送信してもよい。
【００８６】
尚、通信品質評価部１２０は、送信対象のデータ等に応じて、適宜、リソースを決定し直し、都度、ステップＳ３５４相当のＰＤＣＣＨメッセージを送信することで、個別の通信毎に柔軟なリソース指定が可能となる。また、ＬＴＥ等の無線通信規格の範囲で容易に適用が可能である。
【００８７】
＜実施の形態６＞
本実施の形態６は、上述した各実施の形態の応用例である。尚、本実施の形態６にかかる無線通信システム、基地局及び無線端末の各構成は、上述した実施の形態２と同等であるため、図示及び詳細な説明を省略する。
【００８８】
ここで、本実施の形態６では、以下の３つの制御を総合的に考慮する。
（１）ＡＣＫ／ＮＡＣＫ応答率の制御方法：何に基づいてＡＣＫ／ＮＡＣＫ応答率を制御するか
（２）ＡＣＫ／ＮＡＣＫ応答率の整合方法：データ送信側・受信側におけるＡＣＫ／ＮＡＣＫ応答率をどう整合するか
（３）ＡＣＫ／ＮＡＣＫ応答方法：制御されたＡＣＫ／ＮＡＣＫ応答率によりＡＣＫ／ＮＡＣＫ応答を削減した場合にどうＡＣＫ／ＮＡＣＫ応答を行うか
【００８９】
以下、上記（１）から（３）のそれぞれについて説明する。
（１）ＡＣＫ／ＮＡＣＫ応答率の制御方法
本実施の形態６において、ＡＣＫ／ＮＡＣＫ応答率の制御は、予防型制御と対処型制御を切り替えて行う。
（１Ａ）予防型制御（伝送速度）：伝送速度により伝送誤りの発生を予測し、伝送誤りの発生が予測された場合にＡＣＫ／ＮＡＣＫ応答率を上げる等の制御をする。
（１Ｂ）予防型制御（ＳＩＮＲ）：ＳＩＮＲにより伝送誤りの発生を予測し、伝送誤りの発生が予測された場合にＡＣＫ／ＮＡＣＫ応答率を上げる等の制御をする。
（１Ｃ）対処型制御：伝送誤りの発生を契機にＡＣＫ／ＮＡＣＫ応答率を制御する。
【００９０】
（１Ａ）から（１Ｃ）のいずれかにより、伝送誤りが少ないと判断される環境ではデータ伝送単位に対するＡＣＫ／ＮＡＣＫ応答を減らし、ＡＣＫ／ＮＡＣＫ応答率を低く設定することでＡＣＫ／ＮＡＣＫを削減する。また、伝送誤りが多いと判断される環境ではデータ伝送単位に対するＡＣＫ／ＮＡＣＫ応答を増やし、ＡＣＫ／ＮＡＣＫ応答率を高く設定する。つまり、ＡＣＫ／ＮＡＣＫ応答率最大では従来通り、データ伝送単位毎にＡＣＫ／ＮＡＣＫを返す。
【００９１】
（２）ＡＣＫ／ＮＡＣＫ応答率の整合方法
データ送信側とデータ受信側におけるＡＣＫ／ＮＡＣＫ応答率の整合方法は条件型整合、対話型整合及び要求型整合の３つを切り替えて行う。
（２Ａ）条件型整合：予め整合した通信品質条件に基づいてＡＣＫ／ＮＡＣＫ応答率を決定する。
（２Ｂ）対話型整合：通信品質に基づいてＡＣＫ／ＮＡＣＫ応答率を適宜整合する。
（２Ｃ）要求型：整合を行わず、ＡＣＫ／ＮＡＣＫ応答要求を行い、要求された場合にのみＡＣＫ／ＮＡＣＫを返す。
【００９２】
（２Ａ）条件型整合を用いた場合、通信品質に対応するＡＣＫ／ＮＡＣＫ応答率を予め設定することで、データ送信側とデータ受信側におけるＡＣＫ／ＮＡＣＫ応答率整合が不要となる。（２Ｂ）対話型整合を用いた場合、適宜ＡＣＫ／ＮＡＣＫ応答率の整合が必要となるが、（１）の通信品質について既にデータ送信側とデータ受信側で適宜整合しているシステムに適用する場合、その通信品質情報流用することで、対話型制御のための新たな制御信号を必要とせず、ＡＣＫ／ＮＡＣＫ応答率の整合を行うことが出来る。（２Ｃ）要求型を用いた場合、データ送信側が要求した場合にのみＡＣＫ／ＮＡＣＫを返すため、予めＡＣＫ／ＮＡＣＫを返すタイミングを取り決める制御が不要となり、データ送信側がＡＣＫ／ＮＡＣＫ応答率を制御可能となる。要求型では、この要求頻度を通信品質に応じて設定してＡＣＫ／ＮＡＣＫ応答率を制御するが、必ずしも通信品質に基づいて制御しなくても良い。
【００９３】
（３）ＡＣＫ／ＮＡＣＫ応答方法
ＡＣＫ／ＮＡＣＫ応答方法は下記、集約型応答と保留型応答の２つを切り替えて行う。
（３Ａ）集約型応答：次の送信機会に送るＡＣＫ／ＮＡＣＫは、前回の送信機会以降すべてのデータ伝送単位に対する応答を一つのＡＣＫ／ＮＡＣＫに集約して送る。
（３Ｂ）保留型応答：ＡＣＫ／ＮＡＣＫを次の送信機会に集約してまとめて送る。
【００９４】
（３Ａ）集約型応答を用いた場合、データ伝送単位に対し、どれだけ誤った場合にNACKとするかを表す誤り許容度は実装ごとに設定できる。また、ＡＣＫ／ＮＡＣＫを集約するデータ伝送単位は実装ごとに設定できる。（３Ａ）集約型応答は、（３Ｂ）保留型応答と比較し、ＡＣＫ／ＮＡＣＫ送信回数およびＡＣＫ／ＮＡＣＫデータ量の削減効果は高いが、伝送誤り(NACK)が発生した場合には、集約したデータ伝送単位の数に応じて送信側で伝送誤りが発生したと判定されるとデータ量が増加する。集約されたデータ伝送単位に対するＡＣＫ／ＮＡＣＫ応答について、対応するＡＣＫ／ＮＡＣＫ応答が返るまでの間は、データ送信側にてACK応答があったものとして制御しても良い。
【００９５】
（３Ｂ）保留型応答を用いた場合、ＡＣＫ／ＮＡＣＫを集約するデータ伝送単位は実装ごとに設定できる。（３Ｂ）保留型応答は、（３Ａ）集約型応答と比較し、ＡＣＫ／ＮＡＣＫ送信回数は同等の削減効果が見込め、伝送誤り(NACK)が発生した場合に送信側で伝送誤りが発生したと判定されるとデータ量は増加しないが、保留したデータ伝送単位の数に応じてＡＣＫ／ＮＡＣＫ伝送遅延が増加する。保留されたデータ伝送単位に対するＡＣＫ／ＮＡＣＫ応答について、対応するＡＣＫ／ＮＡＣＫ応答が返るまでの間は、データ送信側にてACK応答があったものとして制御しても良い。
【００９６】
図１１は、本実施の形態６にかかる基地局の無線通信制御の関係を説明するための図である。つまり、上述した（１）から（３）を統合的に組み合わせて、相互に切り替え可能なことを図示したものである。
【００９７】
（１）の制御を統合的に用いる場合、予防型制御における伝送速度とＳＩＮＲ、および対処型制御における伝送誤りを通信品質として、ＡＣＫ／ＮＡＣＫ応答率を制御する。例えば、（１Ａ）伝送速度を通信品質として用いる場合を基本とする。伝送速度が適用するシステムの上限値または下限値となる等、通信品質として機能しないと判断される場合（条件Ａ）には、（１Ｂ）ＳＩＮＲを通信品質として使用する。また、伝送速度制御の影響や環境変動が大きい等の理由で、ＳＩＮＲが伝送誤りに対応しないと判断される場合（条件Ｂ）には、（１Ｃ）伝送誤りを通信品質として使用する。なお（条件Ａ）又は（条件Ｂ）が解消された場合には、それぞれ前の制御へ戻る。
【００９８】
（２）の制御を統合的に用いる場合、例えば（２Ａ）条件型整合を基本とし、データ送信側とデータ受信側で予め通信品質が整合できない場合等、条件型整合によるＡＣＫ／ＮＡＣＫ応答率整合が機能しない場合（条件Ｃ）には、（２Ｂ）対話型整合を用いる。適宜ＡＣＫ／ＮＡＣＫ応答率の整合を行うことが不可能な場合等、対話型制御が機能しない場合（条件Ｄ）には、（２Ｃ）要求型整合を用いる。なお（条件Ｃ）又は（条件Ｄ）が解消された場合には、それぞれ前の制御へ戻る。
【００９９】
（３）の制御を統合的に用いる場合、例えば（３Ａ）集約型応答を基本とし、（条件Ｅ）の場合には、（３Ｂ）保留型応答を用いる。ここで、（条件Ｅ）は、例えば、適用するシステム上の制約等により集約側応答が機能しない場合を含む。または、（条件Ｅ）は、ＡＣＫ／ＮＡＣＫ削減による通信効率向上効果が見込めない(送信側で伝送誤りが発生したと判定されるデータ量が、削減できるＡＣＫ／ＮＡＣＫのデータ量を上回る)環境の場合を含む。なお（条件Ｅ）が解消された場合には、前の制御へ戻る。
【０１００】
なお、（１）から（３）の各制御は適用するシステムにより部分的に利用する形態にしても良い。
【０１０１】
＜その他の実施の形態＞
尚、上述した各実施の形態の決定部は、通信品質情報が所定の閾値より良好である場合に、無線端末２００ａにおいて確認応答を送信させる頻度を予め設定された下限値より大きくなるように制御情報を決定するようにしてもよい。
【０１０２】
尚、上述の実施の形態では、ハードウェアの構成として説明したが、これに限定されるものではない。本開示は、任意の処理を、ＣＰＵにコンピュータプログラムを実行させることにより実現することも可能である。
【０１０３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０４】
なお、本開示は上記実施の形態に限られたものではなく、趣旨を逸脱しない範囲で適宜変更することが可能である。また、本開示は、それぞれの実施の形態を適宜組み合わせて実施されてもよい。
【０１０５】
上記の実施形態の一部又は全部は、以下の付記のようにも記載され得るが、以下には限られない。
（付記Ａ１）
送信データの送信先である無線端末と自己との間の通信状況について当該無線端末において測定された通信品質情報に基づき、当該無線端末における前記送信データに対する確認応答の送信処理を制御させるための制御情報を決定する決定部と、
前記制御情報を前記無線端末へ送信する送信部と、
を備える基地局。
（付記Ａ２）
前記決定部は、前記無線端末における前記確認応答の送信タイミングを含めて前記制御情報として決定する
付記Ａ１に記載の基地局。
（付記Ａ３）
前記決定部は、
前記無線端末に前記確認応答の送信を要求する確認応答要求を前記送信タイミングとして決定する
付記Ａ２に記載の基地局。
（付記Ａ４）
前記決定部は、
前記無線端末において前記確認応答を送信する頻度を示す確認応答頻度を前記送信タイミングとして決定する
付記Ａ２に記載の基地局。
（付記Ａ５）
前記決定部は、
複数の前記送信データに対する前記確認応答をまとめて送信させるように前記制御情報を決定する
付記Ａ１乃至Ａ４のいずれか１項に記載の基地局。
（付記Ａ６）
前記決定部は、
複数の前記送信データのそれぞれに対する各受信確認結果を区別して１つの確認応答パケットに含めて応答させるように前記制御情報を決定する
付記Ａ５に記載の基地局。
（付記Ａ７）
前記決定部は、
複数の前記送信データに対する各受信確認結果から総合的に判定された一つの受信確認結果を応答させるように前記制御情報を決定する
付記Ａ５に記載の基地局。
（付記Ａ８）
前記決定部は、
複数のサブフレームを複数の前記送信データとして指定して前記制御情報を決定する
付記Ａ５に記載の基地局。
（付記Ａ９）
前記決定部は、
複数のサブフレームを含む複数のトランスポートブロックを複数の前記送信データとして指定して前記制御情報を決定する
付記Ａ５に記載の基地局。
（付記Ａ１０）
前記決定部は、
前記無線端末が前記確認応答の送信時に用いるリソースをさらに決定し、
前記送信部は、
前記決定したリソースの指定を前記制御情報に含めて前記無線端末に対して送信する
付記Ａ１乃至Ａ９のいずれか１項に記載の基地局。
（付記Ａ１１）
前記決定部は、
前記無線端末が前記確認応答の送信時に用いるリソースをさらに決定し、
前記送信部は、
前記決定したリソースの指定を前記制御情報とは別の第２の制御情報として前記無線端末に対してさらに送信する
付記Ａ１乃至Ａ９のいずれか１項に記載の基地局。
（付記Ａ１２）
前記送信部は、
前記制御情報をＲＲＣ（Ｒａｄｉｏ  Ｒｅｓｏｕｒｃｅ  Ｃｏｎｔｒｏｌ）メッセージに含めて前記無線端末に対して送信し、
前記第２の制御情報をＤＣＩ（Ｄｏｗｎｌｉｎｋ  Ｃｏｎｔｒｏｌ  Ｉｎｆｏｒｍａｔｉｏｎ）に含めて前記無線端末に対して送信する
付記Ａ１１に記載の基地局。
（付記Ａ１３）
前記決定部は、
前記通信品質情報が所定の閾値より良好である場合に、前記無線端末において前記確認応答を送信させる頻度が予め設定された下限値より大きくなるように前記制御情報を決定する
付記Ａ１乃至Ａ１２のいずれか１項に記載の基地局。
（付記Ａ１４）
前記決定部は、
前記送信データごとに前記制御情報を決定する
付記Ａ１乃至Ａ１３のいずれか１項に記載の基地局。
（付記Ｂ１）
送信データの送信元である基地局と自己との間の通信状況について測定した通信品質情報を前記基地局へ送信する送信部と、
前記基地局において前記通信品質情報に基づき決定され、前記送信データに対する確認応答の送信処理を制御するための制御情報を前記基地局から受信する受信部と、
を備え、
前記送信部は、前記制御情報に基づき前記確認応答を前記基地局へ送信する
無線端末。
（付記Ｂ２）
前記制御情報は、前記確認応答の送信タイミングを含む
付記Ｂ１に記載の無線端末。
（付記Ｂ３）
前記送信タイミングは、
前記無線端末に前記確認応答の送信を要求する確認応答要求である
付記Ｂ２に記載の無線端末。
（付記Ｂ４）
前記送信タイミングは、
前記無線端末において前記確認応答を送信する頻度を示す確認応答頻度である
付記Ｂ２に記載の無線端末。
（付記Ｂ５）
前記制御情報は、複数の前記送信データに対する前記確認応答をまとめて送信させる指示を含み、
前記送信部は、前記受信部が前記制御情報に含まれる指示に対応する複数の前記送信データを受信した場合に、各送信データに対する前記確認応答をまとめて前記基地局へ送信する
付記Ｂ１乃至Ｂ４のいずれか１項に記載の無線端末。
（付記Ｂ６）
前記制御情報は、複数の前記送信データのそれぞれに対する各受信確認結果を区別して１つの確認応答パケットに含める指示を含み、
前記送信部は、前記受信部が受信した複数の前記送信データのそれぞれに対する各受信確認結果を区別して１つの確認応答パケットに含めて前記確認応答として前記基地局へ送信する
付記Ｂ５に記載の無線端末。
（付記Ｂ７）
前記制御情報は、複数の前記送信データに対する各受信確認結果から総合的に判定された一つの受信確認結果を応答させる指示を含み、
前記送信部は、
複数の前記送信データに対する各受信確認結果から総合的に一つの受信確認結果として判定し、
当該判定された一つの受信確認結果を前記確認応答として前記基地局へ送信する
付記Ｂ５に記載の無線端末。
（付記Ｂ８）
前記制御情報は、複数のサブフレームが複数の前記送信データとして指定され、
前記送信部は、前記受信部が受信した前記複数のサブフレームに対する前記確認応答をまとめて前記基地局へ送信する
付記Ｂ５に記載の無線端末。
（付記Ｂ９）
前記制御情報は、複数のサブフレームを含む複数のトランスポートブロックが複数の前記送信データとして指定され、
前記送信部は、前記受信部が受信した前記複数のトランスポートブロックに対する前記確認応答をまとめて前記基地局へ送信する
付記Ｂ５に記載の無線端末。
（付記Ｃ１）
送信データを送信する基地局と、
前記基地局から前記送信データを受信し、当該送信データに対する確認応答を前記基地局へ送信する無線端末と、を備え、
前記無線端末は、
前記無線端末と前記基地局との間の通信状況について測定した通信品質情報を前記基地局へ送信し、
前記基地局は、
前記無線端末から受信した前記通信品質情報に基づき、前記無線端末における前記確認応答の送信処理を制御させるための制御情報を決定し、
前記制御情報を前記無線端末へ送信し、
前記無線端末は、
前記制御情報を前記基地局から受信し、
前記制御情報に基づき前記確認応答を前記基地局へ送信する
無線通信システム。
（付記Ｃ２）
前記基地局は、前記無線端末における前記確認応答の送信タイミングを含めて前記制御情報として決定する
付記Ｃ１に記載の無線通信システム。
（付記Ｃ３）
前記基地局は、
複数の前記送信データに対する前記確認応答をまとめて送信させるように前記制御情報を決定し、
前記無線端末は、
前記制御情報に含まれる指示に対応する複数の前記送信データを受信した場合に、各送信データに対する前記確認応答をまとめて前記基地局へ送信する
付記Ｃ１又はＣ２に記載の無線通信システム。
（付記Ｄ１）
基地局が、
送信データの送信先である無線端末と自己との間の通信状況について当該無線端末において測定された通信品質情報に基づき、前記無線端末における前記送信データに対する確認応答の送信処理を制御させるための制御情報を決定し、
前記制御情報を前記無線端末へ送信する
無線通信制御方法。
（付記Ｅ１）
無線端末が、
送信データの送信元である基地局と自己との間の通信状況について測定した通信品質情報を前記基地局へ送信し、
前記基地局において前記通信品質情報に基づき決定され、前記送信データに対する確認応答の送信処理を制御するための制御情報を前記基地局から受信し、
前記制御情報に基づき前記確認応答を前記基地局へ送信する
無線通信制御方法。
（付記Ｆ１）
基地局から受信した送信データに対する確認応答を前記基地局へ送信する無線端末が、
前記無線端末と前記基地局との間の通信状況について測定した通信品質情報を前記基地局へ送信し、
前記基地局が、
前記無線端末から受信した前記通信品質情報に基づき、前記無線端末における前記確認応答の送信処理を制御させるための制御情報を決定し、
前記無線端末へ前記制御情報を送信し、
前記無線端末が、
前記制御情報を前記基地局から受信し、
前記制御情報に基づき前記確認応答を前記基地局へ送信する
無線通信制御方法。
（付記Ｇ１）
送信データの送信先である無線端末と自己との間の通信状況について当該無線端末において測定された通信品質情報に基づき、前記無線端末における前記送信データに対する確認応答の送信処理を制御させるための制御情報を決定する処理と、
前記制御情報を前記無線端末へ送信する処理と、
をコンピュータに実行させる無線通信制御プログラム。
（付記Ｈ１）
送信データの送信元である基地局と自己との間の通信状況について測定した通信品質情報を前記基地局へ送信する処理と、
前記基地局において前記通信品質情報に基づき決定され、前記送信データに対する確認応答の送信処理を制御するための制御情報を前記基地局から受信する処理と、
前記制御情報に基づき前記確認応答を前記基地局へ送信する処理と、
をコンピュータに実行させる無線通信制御プログラム。
【符号の説明】
【０１０６】
１０００  無線通信システム
１００  基地局
１０１  決定部
１０２  送信部
２００  無線端末
２０１  受信部
２０２  送信部
２０００  無線通信システム
１００ａ  基地局
１１０  受信部
１２０  通信品質評価部
１３０  送信部
１４０  アンテナ
１５０  送受信回路
１６０  メモリ
１６１  プログラム
１６２  通信品質情報
１６３  制御情報
１７０  ＣＰＵ
２００ａ  無線端末
２１０  受信部
２２０  生成部
２３０  送信部
２４０  アンテナ
２５０  送受信回路
２６０  メモリ
２６１  プログラム
２６２  通信品質情報
２６３  確認応答
２７０  ＣＰＵ
【図１】
2020014120.tif 000003
【図２】
2020014120.tif 000004
【図３】
2020014120.tif 000005
【図４】
2020014120.tif 000006
【図５】
2020014120.tif 000007
【図６】
2020014120.tif 000008
【図７】
2020014120.tif 000009
【図８】
2020014120.tif 000010
【図９】
2020014120.tif 000011
【図１０】
2020014120.tif 000012
【図１１】
2020014120.tif 000013